(57)【要約】【課題】次世代HD_DVDビデオ再生においてレジューム機能を提供する。【解決手段】アドバンスドコンテントの再生が中断されたら（Ｓ５０２イエス）、レジューム処理を開始して（Ｓ５０３）、ブックマークオブジェクトを生成して記憶する（Ｓ５０４）とともに、ファイルキャッシュに格納されたリソース情報を記憶する（Ｓ５０５）。そののち再生開始が指示されたら（Ｓ５０９イエス）、記憶されたリソース情報をファイルキャッシュにコピーしてから（Ｓ５１１）、記憶されたブックマークオブジェクトを用いて、再生中断個所にジャンプして再生再開する（Ｓ５１４）。【選択図】      図１１
2008165872.tif 000002
【特許請求の範囲】
【請求項１】
所定の再生データを持つプライマリビデオオブジェクトおよびこのプライマリビデオオブジェクトの再生時間をアドレス情報に変換するタイムマップを含むプライマリビデオセットと、このプライマリビデオセットとは別の再生データを持つセカンダリビデオオブジェクトおよびこのセカンダリビデオオブジェクトの再生時間をアドレス情報に変換するタイムマップを含むセカンダリビデオセットと、マークアップ言語によって記述されるファイルであって再生オブジェクト間の再生順序およびタイミング関係を記述するオブジェクトマッピング情報を含むプレイリストと、このプレイリストと連携するアドバンスドアプリケーションとしてプレイリストアプリケーションを含むアドバンスドコンテントを取り扱うものであって、前記プレイリスト内に記述される前記オブジェクトマッピング情報のリソースとして前記プレイリストアプリケーションのリソース情報がファイルキャッシュに一時的に格納される場合において、前記プレイリストアプリケーションが存在するときに前記アドバンスドコンテントを再生する方法が、
前記アドバンスドコンテントの再生が開始されたあと、その再生中断されたら、レジューム処理を開始して、ビデオ、オーディオ、およびサブタイトルのうちの少なくとも１つのトラック番号およびタイトルタイムをブックマークオブジェクトとして生成して記憶するとともに、前記プレイリストアプリケーションの記述内容に対応する、前記ファイルキャッシュに格納された前記リソース情報を記憶し、
再生開始が指示されたら、記憶された前記リソース情報を前記ファイルキャッシュにコピーしてから前記プレイリストアプリケーションを開始し、記憶された前記ブックマークオブジェクトを用いて、前記再生中断個所にジャンプして再生再開する
ように構成されたデジタルビデオ再生方法。
【請求項２】
前記再生開始が指示される前に、前記アドバンスドコンテントが記録されたディスクが交換され、あるいは前記アドバンスドコンテントを再生する機器の電源がオフされたならば、記憶されている前記リソース情報および前記ブックマークオブジェクトを破棄する請求項１に記載の再生方法。
【請求項３】
所定の再生データを持つプライマリビデオオブジェクトおよびこのプライマリビデオオブジェクトの再生時間をアドレス情報に変換するタイムマップを含むプライマリビデオセットと、このプライマリビデオセットとは別の再生データを持つセカンダリビデオオブジェクトおよびこのセカンダリビデオオブジェクトの再生時間をアドレス情報に変換するタイムマップを含むセカンダリビデオセットと、マークアップ言語によって記述されるファイルであって再生オブジェクト間の再生順序およびタイミング関係を記述するオブジェクトマッピング情報を含むプレイリストと、このプレイリストと連携するアドバンスドアプリケーションとしてプレイリストアプリケーションを含むアドバンスドコンテントを取り扱うものであって、前記プレイリストアプリケーションが存在するときに前記アドバンスドコンテントを再生する装置が、
前記プレイリスト内に記述される前記オブジェクトマッピング情報のリソースとして前記プレイリストアプリケーションのリソース情報を一時的に格納するファイルキャッシュと、
ビデオ、オーディオ、およびサブタイトルのうちの少なくとも１つのトラック番号およびタイトルタイムをブックマークオブジェクトとして生成して記憶するブックマークメモリと、
前記ファイルキャッシュに格納された、前記プレイリストアプリケーションの記述内容に対応する前記リソース情報を記憶するリソースメモリと、
前記リソースメモリに記憶された前記リソース情報を前記ファイルキャッシュにコピーし、前記ブックマークメモリに記憶された前記ブックマークオブジェクトを用いて、再生再開する再生エンジン
を具備したデジタルビデオ再生装置。
【請求項４】
HD_DVDビデオ規格で規定されるアドバンスドコンテントの再生機能とレジューム再生機能を有するものであって、
再生停止実行直前にブックマークオブジェクトを生成するブックマーク生成部と、
前記アドバンスドコンテントに含まれるプレイリストアプリケーションのリソース情報を一時格納するファイルキャッシュと、
前記ファイルキャッシュ内の前記プレイリストアプリケーションのリソース情報を記憶するリソース情報記憶部と、
前記ブックマーク生成部により生成されたブックマークオブジェクトを記憶するブックマーク記憶部とを具備し、
前記リソース情報記憶部に記憶されたリソース情報と前記ブックマーク記憶部に記憶されたブックマークオブジェクトを用いて前記アドバンスドコンテントのレジューム再生を行うように構成されたデジタルビデオ再生装置。
【発明の詳細な説明】
【技術分野】
【０００１】
この発明は、デジタルビデオ再生におけるレジューム機能に関する。
【背景技術】
【０００２】
現在、DVD（Digital Versatile Disc）ビデオ再生装置が広く普及している。この従来DVDビデオの拡張としてのスタンダードコンテントと、従来DVDビデオを大幅に改修したアドバンスドコンテントの双方を扱う次世代HD_DVD（High Definition DVD）ビデオも市販が開始され、これから普及しようとしている。
【０００３】
従来DVDビデオも次世代HD_DVDビデオも比較的長時間のプログラム（映画、コンサートライブ等）を再生することが多いが、長時間プログラムの視聴では視聴者（再生装置のユーザ）の都合等でプログラム再生が中断されることが、ままある。その場合、中断された個所からプログラム再生を再開したいというユーザ希望が生じる。このユーザ希望をかなえる機能としてレジューム機能がある。
【０００４】
上記レジューム機能を従来DVDビデオで実現するものとして、ラストメモリ機能を備えたDVD再生装置がある（特許文献１参照）。
【特許文献１】特開２００２−１３３８２８号公報
【発明の開示】
【発明が解決しようとする課題】
【０００５】
特許文献１は、ラストメモリ機能によって再生停止時に記憶したラストメモリ情報を、次の再生開始時において、ブックマーク情報として登録することが可能なＤＶＤ再生装置を開示している。この装置は、ラストメモリ機能およびブックマーク機能を備え、再生開始時において、前回の再生停止時においてラストメモリ機能によってラストメモリ情報が記憶されている場合に、上記ラストメモリ情報をブックマーク情報として登録するか否かをユーザに問い合わせる手段、およびユーザ操作によって、上記ラストメモリ情報をブックマーク情報として登録する旨の入力があった際に、上記ラストメモリ情報をブックマーク情報として登録する手段を備えている。
【０００６】
しかしながら、特許文献１には、アドバンスドコンテント特有のレジューム手順について何ら記載されておらず、アドバンスドコンテント再生が中断された場合のレジューム機能をユーザに提供できないという問題がある。
【０００７】
この発明の課題は、次世代HD_DVDビデオ再生においてレジューム機能を提供することである。
【課題を解決するための手段】
【０００８】
この発明の一実施に係るデジタルビデオ再生方法では、例えば、所定の再生データを持つプライマリビデオオブジェクト（P-EVOB）およびこのプライマリビデオオブジェクトの再生時間をアドレス情報に変換するタイムマップ（TMAP）を含むプライマリビデオセット（Primary Video Set）と、このプライマリビデオセットとは別の再生データを持つセカンダリビデオオブジェクト（S-EVOB）およびこのセカンダリビデオオブジェクトの再生時間をアドレス情報に変換するタイムマップ（TMAP）を含むセカンダリビデオセット（Secondary Video Set）と、マークアップ言語（XML）によって記述されるファイルであって再生オブジェクト間の再生順序およびタイミング関係を記述するオブジェクトマッピング情報（Object Mapping Information）を含むプレイリスト（Playlist）と、このプレイリストと連携するアドバンスドアプリケーション（Playlist Associated Advanced Application）としてプレイリストアプリケーション（Playlist Application）を含むアドバンスドコンテント（Advanced Content）を取り扱う。ここで、前記プレイリスト内に記述される前記オブジェクトマッピング情報（図５）のリソースとして前記プレイリストアプリケーション（Playlist Application）のリソース情報（図８のPlaylist Application Resource等）がファイルキャッシュ（図２のFile Cache）に一時的に格納される。この場合において、前記プレイリストアプリケーション（Playlist Application）が存在するとき（Ｓ５００イエス）に前記アドバンスドコンテント（Advanced Content）を再生する方法は、次の工程を含むことができる。すなわち、
前記アドバンスドコンテントの再生が開始（Ｓ５０１）されたあと、その再生中断されたら（Ｓ５０２イエス）、レジューム処理を開始して（Ｓ５０３）、ビデオ、オーディオ、およびサブタイトルのうちの少なくとも１つのトラック番号およびタイトルタイムをブックマークオブジェクトとして生成して記憶する（Ｓ５０４）とともに、前記プレイリストアプリケーション（Playlist Application）の記述内容（“file:///dvddisc/ADV_OBJ/PApp.aca’/”）に対応する前記リソース情報（画像情報のオブジェクトを含むことがあり最大６４ＭＢとサイズが大きい）を記憶し（Ｓ５０５）、
再生開始が指示されたら（Ｓ５０９イエス）、記憶された前記リソース情報を前記ファイルキャッシュにコピーしてから（Ｓ５１１）、記憶された前記ブックマークオブジェクトを用いて、前記再生中断個所にジャンプして再生再開する（Ｓ５１４）。
【発明の効果】
【０００９】
この発明を実施することにより、ビデオ再生とともにアドバンスドアプリケーションの再生が並行して行われ得る次世代デジタルビデオ（HD_DVDビデオ）の再生環境において、再生中断後のレジューム再生を実現できる。
【００１０】
別の言い方をすると、HD_DVDビデオ規格に則ったアドバンスドコンテントでレジューム再生を可能とする情報再生装置を提供することができる。
【発明を実施するための最良の形態】
【００１１】
以下、図面を参照して、この発明の種々な実施の形態に係るデジタルビデオ再生装置および再生方法を説明する。図１は、この発明の一実施の形態に係るC再生装置１０００の構成例を説明するブロック図である。この再生装置１０００は、HD_DVD規格に則ったディスク１（あるいは図示しないハードディスクドライブもしくは大容量メモリデバイス）から、そこに格納されているHD_DVDの情報を読み出して再生するものである。再生時に、ディスク１はディスクドライブ部１０１に装填される。ディスクドライブ部１０１は、装填されたディスク１を回転駆動し、光ピックアップ（図示せず）を用いてディスク１に格納されている情報を読み取る。
【００１２】
また、この再生装置１００は、ネットワークアクセス部１０２を有しており、必要に応じて、インターネット等のネットワーク上に構成されたネットワークサーバ２にアクセスして、そのネットワークサーバ２から情報を取得することも可能となっている。更には、再生装置１００は、メディアドライブ部１０３を有しており、必要に応じて、該メディアドライブ部１０３に装着された取り外し可能なストレージメディア３にアクセスして、そのストレージメディア３から情報を読み取ることも可能となっている。このストレージメディア（Persistent Storage）３としては、例えばＵＳＢメモリ、ＨＤＤ、メモリカードなどを利用できる。
【００１３】
ディスクドライブ部１０１で読み取られた情報および、必要に応じてネットワークアクセス部１０２および／またはメディアドライブ部１０３で取得した情報は、データプロセッサ部１０４に供給され、エラー訂正処理等が施された後、該データプロセッサ部１０４内のバッファ（図示せず）に格納される。そして、このバッファに格納された情報のうち、管理情報はメモリ部１０５に記録され、再生制御やデータ管理等に利用される。また、上記バッファに格納された情報のうち、オーディオビデオ情報（ＡＶ情報）は分離部１０６に転送され、ビデオ、グラフィックユニット、オーディオ及びサブピクチャ毎に分離（デマルチプレクス）される。ビデオの情報はビデオデコーダ部１０７に、サブピクチャの情報はサブピクチャデコーダ部１０８に、グラフィックユニットの情報はグラフィックデコーダ部１０９に、オーディオの情報はオーディオデコーダ部１１０にそれぞれ供給され、デコード処理が行なわれる。なお、サブピクチャとは、字幕等の画像のことである。
【００１４】
ビデオデコーダ部１０７でデコード処理されたビデオ情報（主映像情報）と、サブピクチャデコーダ部１０８でデコード処理されたサブピクチャ情報と、グラフィックデコーダ部１０９でデコード処理されたグラフィック情報は、ビデオプロセッサ部１１１に供給されて重畳処理が施された後、Ｄ／Ａ（ディジタル／アナログ）変換器１１２でアナログ化され、映像信号として図示しない映像表示装置（例えば、液晶ディスプレイ、プラズマディスプレイ、Surface-conduction Electron-emitterディスプレイ、ＣＲＴディスプレイ等）に出力される。一方、オーディオデコーダ部１１０でデコード処理された音声情報は、Ｄ／Ａ変換器１１３でアナログ化され、音声信号として図示しない音声再生装置（例えばスピーカ等）に出力される。
【００１５】
上記のようなディスク１、ネットワークサーバ２、ストレージメディア３に対する一連の再生動作は、制御部としてのＭＰＵ部１１４によって統括的に制御されている。なお、このＭＰＵ部１１４は、キー入力部１１５からの操作情報を受け、ＲＯＭ部１１６に格納されたプログラム（ファームウエア）に基づいて、各部を制御している。なお、メモリ部１０５は、ＭＰＵ部１１４がプログラムを実行する際のワークエリアとして利用することもできるようになっている。
【００１６】
さらに、図１の装置は、各部の動作クロックＣＫを発生するクロック発生器１１７を備えており、ＭＰＵ部１１４はクロック発生器１１７からのクロック供給動作を制御できるように構成されている。なお、ＭＰＵ部１１４の動作クロックはクロック発生器１１７でなく内臓クロック発生器（図示せず）から得るようにしており、クロック発生器１１７がクロック供給を中断してもＭＰＵ部１１４は動作を継続できるようになっている。
【００１７】
図２は、図１の装置がHD_DVDビデオ規格のアドバンスドコンテントを再生する場合の再生システムモデル（Advanced Content Player Model）の一例を示す。HD_DVDビデオ規格のアドバンスドコンテントを再生するシステムモデルとしての観点から、図１の再生装置１０００の内部構成は、図２に例示するように、データアクセスマネージャ１００Ａと、ファイルキャッシュ／ストリーミングバッファ１００Ｂと、再生エンジン１００Ｃと、ＡＶレンダラ１００Ｄと、ナビゲーションマネージャ１００Ｅに書き換えることができる。図２のシステムモデルの動作クロックＣＫはクロック発生器１１７から供給され、そのクロック供給動作はＭＰＵ部１１４により制御される。また、アドバンスドコンテントの再生が中断されたあとレジューム再生する場合に必要な情報は、レジューム再生情報メモリ１０５ａに適宜格納される。このメモリ１０５ａは、個別に用意されてもよいが、図１のメモリ部１０５の記録エリアの一部を利用することもできる。
【００１８】
図３は、この発明の一実施の形態に係るディスク状情報記憶媒体（HD_DVDビデオ用光ディスク）に記録される内容の一例を説明する図である。図３（ａ）のディスク１は、図３（ｂ）に示すように、その内周側からリードイン領域１０とボリューム／ファイル構造情報領域１１とデータ領域１２とリードアウト領域１３を持つ。ディスク１のボリュームスペースは、図３（ｃ）に示すように、ボリューム／ファイル構造情報領域１１とデータ領域１２を含んで構成される。このデータ領域１２は、HD_DVDビデオ領域１４および、適宜その他の領域（HD_DVDビデオ以外の情報記録に使用できる領域）１５を含んで構成される。HD_DVDビデオ領域１４は、標準コンテント領域２０およびアドバンスドコンテント領域２１を含んでいる。標準コンテント領域２０に記録される標準コンテント（Standard Content）は、ナビゲーションデータとディスク上のビデオオブジェクトで構成され、これは従来のＤＶＤビデオ規格第１．１版を拡張したものである。
【００１９】
アドバンスドコンテント領域２１には、図３（ｄ）に示すように、アドバンスドビデオタイトルセット（Advanced VTS）５０およびアドバンスドコンテント（Advanced Content）６０を記録できるようになっている。アドバンスドコンテント６０の詳細については、図４を参照して後述する。
【００２０】
アドバンスドビデオタイトルセット５０は、図３（ｅ）に示すように、制御データ（ビデオタイトルセット情報VTSI）と、タイムマップ情報（VTS_TMAP）と、タイトル用の拡張ビデオオブジェクトセット（VTSTT_EVOBS）を含む。アドバンスドビデオタイトルセット５０は、適宜、VTSIおよびVTS_TMAPのバックアップファイルを含むことができるように構成されている。また、図３（ｆ）に示すように、タイムマップ情報（VTS_TMAP）は１以上のタイムマップ（TMAP）のファイルを含むことができ、タイトル用の拡張ビデオオブジェクトセット（VTSTT_EVOBS）は１以上の拡張ビデオオブジェクト（EVOB）を含むことができるようになっている。
【００２１】
図４は、アドバンスドコンテント（Advanced Content）の構成例を説明する図である。アドバンスドコンテント６０は、プレイリスト（Playlist）と、プライマリビデオセット（Primary Video Set）と、セカンダリビデオセット（Secondary Video Set）と、アドバンスドアプリケーション（Advanced Application）と、アドバンスドサブタイトル（Advanced Subtitle）を含んで構成される（さらに構成情報のファイル：Configuration Fileを含むこともできる）。
【００２２】
プレイリストは、プライマリビデオセット、セカンダリビデオセット、アドバンスドアプリケーション、アドバンスドサブタイトル等の再生オブジェクト（Presentation Objects）を管理するものである。このプレイリストのファイルは、アドバンスドコンテントのための、初期システム構成情報と同期情報とナビゲーション情報を記述するようになっている。具体的には、プレイリストのファイルには、タイトル情報（Title Information）と、メディア属性情報（Media Attribute Information）と、構成情報（Configuration Information）が記述される。ここで、タイトル情報はタイトルエレメント（Title Elements）のリストを含むことができ、各タイトルエレメントはアドバンスドコンテント用タイトルの情報セットが記述される。
【００２３】
アドバンスドアプリケーションは、アドバンスドナビゲーション（Advanced Navigation）とアドバンスドエレメント（Advanced Element）を含んで構成される。アドバンスドナビゲーションはマニフェスト（Manifest），マークアップ（Markup），スクリプトファイル（Script files）等を含んで構成され、アドバンスドエレメントは画像（Image）、効果オーディオ（Effect Audio）、フォント（Open Type Font）等のファイルを含んで構成される。
【００２４】
プライマリビデオセットは、プライマリオーディオビデオ（Primary Audio Video）のファイルを含む。このプライマリオーディオビデオは、ビデオタイトルセット情報（VTSI：属性情報）と、オブジェクトの再生時間を対応アドレスに変換するタイムマップ（TMAP）の情報と、プライマリビデオオブジェクト（P_EVOB）のファイルを含んでいる。ここで、タイムマップの情報（TMAPI）は、拡張ビデオオブジェクト（EVOB）の一部（再生時間換算で０．４〜１秒分）に対応する拡張ビデオオブジェクトユニット（EVOBU）のエントリ情報（EVOBU_ENT）を１以上含むことができる。各エントリ情報（EVOBU_ENT）は、該当EVOBUに属する最初の基準ピクチャのサイズの情報（1STREF_SZ）と、該当EVOBUの再生時間の情報（EVOBU_PB_TM）と、該当EVOBUのサイズの情報（EVOBU_SZ）を含んでいる。
【００２５】
セカンダリビデオセットは、代替オーディオビデオ（Substitute Audio Video）のファイルと、代替オーディオ（Substitute Audio）のファイルと、セカンダリオーディオビデオ（Primary Audio Video）のファイルを含む。これらのファイルは、オブジェクトの再生時間を対応アドレスに変換するタイムマップ（TMAP）と、セカンダリビデオオブジェクト（S_EVOB）のファイルを含んでいる。セカンダリビデオセットのファイルは、ディスク１に格納するか、ストレージメディア３に格納するか、あるいはネットワーク２からダウンロードできる。
【００２６】
このタイムマップ（TMAP）は、タイムマップ一般情報（TMAP_GI）と、タイムマップ情報サーチポインタ（TMAPI_SRP）と、このサーチポインタに対応するタイムマップ情報（TMAPI）と、EVOBの属性（EVOB_ATR）を含んでいる。タイムマップ一般情報（TMAP_GI）は、該当EVOBの再生開始時間情報の情報（EVOB_V_S_PTM）、該当EVOBの最初のデータパックのシステムクロックリファレンスの情報（EVOB_FIRST_SCR）等を含んでいる。タイムマップ情報サーチポインタ（TMAPI_SRP#1）は、タイムマップ情報のスタートアドレス（TMAPI_SA）、エントリの数情報（EVOBU_ENT_NsあるいはTU_ENT_Ns）等を含んでいる。
【００２７】
ここで、ビデオストリームを含むEVOB用のタイムマップ情報（TMAPI）は、１以上の拡張ビデオオブジェクトユニットエントリ情報（EVOBU_ENT#i）を含むことができるようになっている。一方、ビデオストリームを除いたEVOB用のタイムマップ情報（TMAPI）は、１以上のタイムユニットエントリ情報（TU_ENT#i）を含むことができるようになっている。
【００２８】
また、EVOBの属性（EVOB_ATR）は、セカンダリビデオセットのタイプとサブビデオストリームおよびサブオーディオストリームの存在を記述するタイプ情報（EVOB_TY）、EVOBのメインビデオ属性（EVOB_VM_ATR）、EVOBのサブビデオ属性（EVOB_VS_ATR）、EVOBのサブビデオ用ルマ値（EVOB_VS_LUMA）、EVOBのメインオーディオストリーム数（EVOB_AMST_Ns）、EVOBのメインオーディオストリーム属性テーブル（EVOB_AMST_ATRT）、EVOBのオーディオストリーム用ダウンミックス係数テーブル（EVOB_DM_COEFTS）、EVOBのサブオーディオストリーム数（EVOB_ASST_Ns）、EVOBのサブオーディオストリーム属性テーブル（EVOB_ASST_ATRT）等を含んでいる。ここで、EVOBのサブビデオ用ルマ値（EVOB_VS_LUMA）とは、該当EVOBのサブビデオの輝度範囲（range of Luma Key Function）を示すもので、このEVOB_VS_LUMAは該当EVOBがサブビデオストリームを含むときのみ（つまりEVOB_TYがサブビデオの存在を示す場合のみ）有効となる。
【００２９】
EVOB_TYがサブビデオの存在を示す場合は、図１５を参照して後述するレジューム処理において、EVOBのサブビデオ用ルマ値（EVOB_VS_LUMA）を、メモリ１０５ａに一時格納するレジューム再生情報の一部としてもよい。EVOB_TYがサブビデオの存在を示さない場合は、図１５を参照して後述するレジューム処理において、サブビデオはレジューム処理の対象外となる。
【００３０】
アドバンスドサブタイトルは、アドバンスドナビゲーション（Advanced Navigation）のファイルと、アドバンスドエレメント（Advanced Element）のファイルを含む。アドバンスドナビゲーションのファイルはアドバンスドサブタイトル用のマニフェスト（Manifest）とアドバンスドサブタイトル用のマークアップ（Markup）を含み、アドバンスドエレメントのファイルはJPEG/PNG等の画像ファイルと、OpenType等のフォントファイルを含む。
【００３１】
アドバンスドコンテント６０は、その他に、構成情報ファイル（Configuration File）を含んでいる。このファイルは、Persistent Storage３内の特定エリアの確認（identification）、およびnetwork２内のサーバ認証（server authentication）に用いられる。
【００３２】
アドバンスドコンテント６０の詳細は以上のようになっているが、簡単に言えば、アドバンスドコンテントは、プレイリスト（Playlist）、マニフェスト（Manifest）、マークアップ（Markup）、スクリプトファイル（Script files）等のアドバンスドナビゲーション（Navigation data）と、プライマリ／セカンダリビデオセット（Primary/Secondary Video Set）等のアドバンスドデータ（Advanced data）と、画像、オーディオ、テキストなどのアドバンスドエレメント（Advanced Element）等で構成される。このアドバンスドコンテントに関しては、少なくとも１つのプレイリストファイルとプライマリビデオセットをディスク１上に位置づける必要があり、その他のデータはディスク１上に置いても、ネットワークサーバ２やストレージメディア３から取り込んでも良い。上記アドバンスドコンテントは、標準コンテントで実現されるオーディオとビデオの拡張に加え、より高度なインタラクティブ性（interactivity）を実現する。
【００３３】
図５は、アドバンスドコンテントで用いられるプレイリスト（Playlist）の概要を説明する図である。プレイリストはＸＭＬで記述されてディスク１上に記録されている。このディスク１上にアドバンスドコンテントがある場合、再生装置１００はまずこのプレイリストを実行する。図５に示すように、このプレイリストで次の情報が提供される：
・オブジェクトマッピング情報（Object Mapping Information）…タイトルタイムライン（Title Timeline）上にマッピングされたプレゼンテーションオブジェクト（再生オブジェクト）のためのタイトル内情報（ここで、タイトルタイムラインとは、１つの纏まったコンテンツの記述単位であるタイトル内の、仮想的な時間軸をいう。）
・再生シーケンス情報（Playback Sequence Information）…タイトルタイムラインにより記述される、各タイトル用の再生情報
プレイリストの記述に従って、最初のアプリケーションが、プライマリ／セカンダリビデオセットなどがある場合はこれらを参照しつつ、実行される。１つのアプリケーションは、マニフェスト、マークアップ（これにはコンテンツ／スタイリング／タイミング情報が含まれる）、スクリプト、アドバンスドデータで構成される。アプリケーションを構成する、最初の１つのマークアップファイル、スクリプトファイル、その他のリソースは、１つのマニフェストの中で参照される。マークアップにより、プライマリ／セカンダリビデオセットなどのアドバンスドデータ、及びアドバンスドエレメントの再生が開始される。
【００３４】
アドバンスドデータは、アドバンスドコンテント用のプレゼンテーションデータのデータタイプである。アドバンスドデータは次の４つのタイプに分類できる：
・プライマリビデオセット
・セカンダリビデオセット
・アドバンスドエレメント
・その他。
【００３５】
プライマリビデオセットは、プライマリビデオ用の一組のデータである。プライマリビデオセットのデータ構造は、ナビゲーションデータ（ビデオタイトルセット情報VTSI、タイムマップTMAP等）とプレゼンテーションデータ（プライマリエンハンスドビデオオブジェクトP-EVOB等）で構成される。このプライマリビデオセットは、ディスク１上に保存される。プライマリビデオセットは、その中に様々なプレゼンテーションデータを含めることができる。考えられるプレゼンテーションストリームタイプとしては、メインビデオ、メインオーディオ、サブビデオ、サブオーディオ、サブピクチャがある。ここで、プライマリビデオセットは、１つのメインビデオストリーム、１つのサブビデオストリーム、８つのメインオーディオストリーム、８つのサブオーディオストリームを保持することができる。再生装置１００は、プライマリビデオ及びオーディオ以外に、同時にサブビデオ及びサブオーディオを再生することができる。サブビデオとサブオーディオの再生中にセカンダリビデオセットのサブビデオとサブオーディオを再生することはできない。
【００３６】
セカンダリビデオセットは、プライマリビデオセットにビデオ／オーディオデータを追加する際に使用し、またオーディオデータだけを追加する場合にも使用する。このセカンダリビデオセットは、ディスク１上に記録されるか、あるいは１つ又は複数のファイルとしてネットワークサーバ２やストレージメディア３から取り込まれる。このファイルは、データがディスク１上に記録されており、しかもプライマリビデオセットとともに、同時に再生する必要がある場合は、再生前に一旦ファイルキャッシュ（図２の１００Ｂ）および／または別のストレージメディア（図２の３等）に保存される。一方、セカンダリビデオセットがウェブサイト等のネットワークサーバ２および／または別のストレージメディア（図２の３等）上にある場合は、このデータ全体を一旦ファイルキャッシュに保存する（downloading）か、又はこのデータの一部をストリーミングバッファ（図２の１００Ｂ）に連続的に保存する（streaming）必要がある。保存されたデータは、ネットワークサーバ２からデータをダウンロードする間にバッファオーバフローを起こすことなく、同時に再生される。
【００３７】
即ち、セカンダリビデオセットは、ネットワークストリーミングとファイルキャッシュ（および／または別のストレージメディア）上のプレダウンロードされたコンテンツ用の一組のデータである。セカンダリビデオセットのデータ構造は、アドバンスドVTS（図３（ｄ）〜（ｆ）参照）の簡単化された構造であり、タイムマップ（TMAP#1〜#m）とプレゼンテーションデータ（S-EVOB#1〜#m）で構成される。セカンダリビデオセットには、サブビデオ、サブオーディオ、コンプリメンタリオーディオ、コンプリメンタリサブタイトルを含めることができる。コンプリメンタリオーディオは、プライマリビデオセット内のメインオーディオに代わる代替オーディオストリームとして使用できる。コンプリメンタリサブタイトルは、プライマリビデオセット内のサブピクチャに代わる代替サブタイトルストリームとして使用できる。コンプリメンタリサブタイトルのデータフォーマットはアドバンスドサブタイトルである。
【００３８】
アドバンスドエレメントは、グラフィックプレーン、効果音、及びアドバンスドナビゲーション等で用いられるもので、例えば図２のプレゼンテーションエンジン１００Ｃで利用される。アドバンスドエレメントは、データソースから受け取る各種タイプのファイルを作成するために使用するプレゼンテーションの材料である。アドバンスドエレメントで使用可能なデータフォーマットとしては、例えば次のものがある：
・画像／アニメーションのフォーマット
＊ＪＰＥＧ
＊ＰＮＧ
＊ＭＮＧ
＊Capture Image Format
・効果オーディオのフォーマット
＊ＷＡＶ
・テキスト／フォントのフォーマット
＊ＵＮＩＣＯＤＥフォーマット、ＵＴＦ−８又はＵＴＦ−１６
＊オープンフォント（OpenType）。
【００３９】
アドバンスドデータには、その他として、アドバンスドナビゲーション内のスクリプトで生成されるゲームスコア用のテキストファイル、あるいはアドバンスドコンテントが特定のネットワークサーバ２へのアクセスを開始するときに受け取るクッキーなどがある。これらのデータファイルには、アドバンスドナビゲーションの指示によりプライマリビデオ再生の際に取り込む画像ファイルなど、その種類によってはアドバンスドエレメントとして処理されるものがある。
【００４０】
プレイリストには、上述したように、オブジェクトマッピング情報、再生シーケンス情報、及び構成情報が記述されている。ここで、オブジェクトマッピング情報において、タイトルタイムラインは、デフォルトの再生シーケンスとプレゼンテーションオブジェクト間のタイミング関係をタイトルごとに定義する。アドバンスドアプリケーション、プライマリビデオセット、又はセカンダリビデオセットなどのスケジュールされたプレゼンテーションオブジェクトは、その動作時間（開始時間から終了時間）をタイトルタイムラインにマッピング（事前割当）する。
【００４１】
図６は、タイトルタイムラインのオブジェクトマッピングの様子を示している。タイトルタイムラインの経過に従って、各プレゼンテーションオブジェクトはそのプレゼンテーションを開始及び終了する。プレゼンテーションオブジェクトがタイトルタイムラインと同期化されている場合は、事前割当したタイトルタイムラインの動作時間（タイトルタイム）はそのプレゼンテーション時間と等しくなる。図６の例示では、ＰＴ１＿０がＰ−ＥＶＯＢ−ＴＹ２ ＃１（プレゼンテーションオブジェクト）のプレゼンテーション開始時間を示し、ＰＴ１＿１がＰ−ＥＶＯＢ−ＴＹ２ ＃１のプレゼンテーション終了時間を示している。
【００４２】
セカンダリビデオセット、サブスティチュートオーディオ（代替または入れ替えのオーディオ）、及びサブスティチュートオーディオビデオ（代替または入れ替えのオーディオビデオ）の間にはオブジェクトマッピングに対して制約がある。これら３つのプレゼンテーションオブジェクトを２つ以上タイトルタイムラインに同時にマッピングすることは認められていない。
【００４３】
また、再生シーケンスは、タイトルタイムラインの時間値によってチャプタの開始位置を定義する。チャプタの終了場所には、次のチャプタの開始位置又は最終チャプタのタイトルラインの終了が適用される。
【００４４】
図７は、アドバンスドコンテントにおける、プレイリストとプライマリビデオセットとセカンダリビデオセットとアドバンスドアプリケーションとアドバンスドサブタイトルとの関係の一例を説明する図である。図４等を参照して前述したように、アドバンスドコンテント（Advanced Content）６０はプレイリスト（Playlist）とプライマリビデオセット（Primary Video Set）とセカンダリビデオセット（Secondary Video Set）とアドバンスドアプリケーション（Advanced Application）とアドバンスドサブタイトル（Advanced Subtitle）を含んでいる。
【００４５】
図８は、プレイリストアプリケーションエレメントとプレイリストアプリケーションリソースエレメントの記述例を説明する図である。アドバンスドアプリケーションに付随するプレイリストのオブジェクトマッピング情報は、タイトルセットエレメント内のプレイリストアプリケーションエレメントにより記述される。プレイリストに付随するアドバンスドアプリケーション（Playlist Associated Advanced ApplicationまたはPlaylist Application）は、アドバンスドアプリケーションの特別な一形態であり、そのライフタイムはプレイリスト内の全タイトルの全てのタイトルタイムライン全体となる。一方、その他のアドバンスドアプリケーションのライフタイムは、タイトルのタイムライン全体かその一部の期間となる。図８の記述例では、“src=’fo;e:///dvddosc/ADV_OBJ/PApp.aca’/”が比較的重たいファイル（最大64MB）となる。
【００４６】
図９は、ＸＭＬ表記によるタイトルエレメントの記述例を説明する図である。この例では、“PrimaryAudioVideoClip | SubstituteAudioVideoClip | SubstituteAudioClip | SecondaryAudioVideoClip |”がビデオクリップのマッピング情報に該当する。
【００４７】
ここで、プライマリビデオセットに対応するプライマリオーディオビデオの再生クリップエレメントをプライマリオーディオビデオクリップエレメントとしたときに前記タイトルエレメントは前記プライマリオーディオビデオクリップエレメントのマッピング情報を含むことができ、このマッピング情報は前記プライマリオーディオビデオクリップエレメントについての前記タイトルタイムの開始時間情報（図１０のtitleTimeBegin）と終了時間情報（図１０のtitleTimeEnd）を含むことができる。
【００４８】
同様に、セカンダリビデオセットに対応するセカンダリオーディオビデオの再生クリップエレメントをセカンダリオーディオビデオクリップエレメントとしたときに前記タイトルエレメントは前記セカンダリオーディオビデオクリップエレメントのマッピング情報を含むことができ、このマッピング情報は前記セカンダリオーディオビデオクリップエレメントについての前記タイトルタイムの開始時間情報（図１０のtitleTimeBegin）と終了時間情報（図１０のtitleTimeEnd）を含むことができる。
【００４９】
図１０は、ＸＭＬ表記によるプライマリオーディオビデオクリップエレメントの記述例を説明する図である。この例では、“titleTimeBegin = timeExpression, clipTimeBegin = timeExpression, titleTimeEnd = timeExpression”がマッピング情報に該当する。また、“Video+, Audio*, Subtitle*, SubVideo?, SubAudio*”がストリーム情報に該当している。
【００５０】
すなわち、アドバンスドコンテント（Advanced Content）はマークアップ言語（XML）により記述されるファイルであるプレイリスト（図６）を含み、このプレイリストのファイルはタイトルエレメントのリストを含む。また、プライマリビデオセットに対応するプライマリオーディオビデオの再生クリップエレメントをプライマリオーディオビデオクリップエレメントとしたときにタイトルエレメント（図９）がプライマリオーディオビデオクリップエレメントのマッピング情報を含み、このマッピング情報がプライマリオーディオビデオクリップエレメントについてのタイトルタイムの開始時間情報（図１０のtitleTimeBegin）と終了時間情報（図１０のtitleTimeEnd）を含む。
【００５１】
図１１は、この発明の一実施の形態に係るレジューム処理の一例を説明するフローチャートである。HD_DVDのアドバンスドコンテント再生を可能とする再生装置（図１、図２参照）において、ユーザ操作による再生停止（Stop）が実施された後、ディスク交換及び電源オフ無しで再度ユーザ操作による再生開始（Play）が実施された際に、再生停止時点の再生位置からレジューム再生することを可能とする機能について、以下で説明する。
【００５２】
図１のディスクドライブ部１０１にディスク１が装填されると、図２のデータアクセスマネージャ１００Ａに含まれるディスクマネージャは、そのディスク１（図３参照）にプレイリストアプリケーション（図４参照）が存在するか否かチェックする。プレイリストアプリケーションがないときは（Ｓ５００ノー）、その他の処理にリターンする。なお、Ｓ５００でノーの場合は、アドバンスドコンテントの再生自体は実行されるが、その場合のレジューム機能はスタンダードコンテント再生の場合と同様にラストメモリ機能のみで実現できる。プレイリストアプリケーションがあるときは（Ｓ５００イエス）、アドバンスドコンテント再生が行われる（Ｓ５０１）。この再生は、コンテントの最後まで再生が済むかその途中でストップボタン等が押されるまで継続する（Ｓ５０２ノー）。
【００５３】
アドバンスドコンテント再生の途中で、例えばユーザ操作によりストップボタンが押されると（Ｓ５０２ノー）、レジューム処理が開始される（Ｓ５０３）。すると、再生停止処理の実行直前にBookmark-Saveが実施され、ブックマークオブジェクトが生成される。このブックマークオブジェクトは、後にレジューム再生するときに用いるオブジェクトであり、再生停止処理時点での再生オブジェクト（例えば図７のPrimary Video Setおよび／またはSecondary Video Setの一部）に対応する。このブックマークオブジェクトは、Mainモジュール（図２のシステムモデルではナビゲーションマネージャ１００Ｅ内のAdvanced Application Manager等）に付属するメモリ１０５ａの記憶エリアの一部に記憶される（Ｓ５０４）。（なお、図２ではメモリ１０５ａがナビゲーションマネージャ１００Ｅから離れて図示されているが、メモリ１０５ａとナビゲーションマネージャ１００Ｅとの間のデータ交換ルートは存在している。）
さらに、ブックマークオブジェクト生成時にファイルキャッシュ（図２のFile Cache１００Ｂ）に一時格納されていた情報（例えば図８に例示されるようなPlaylist Applicationのリソース情報：画像データやリニアＰＣＭ音声データを扱うことがあるので最大６４ＭＢ程度の大サイズ情報となり得る）も、Mainモジュールに属するメモリ１０５ａの記憶エリアの他部に記憶される（Ｓ５０５）。
【００５４】
なお、上述したブックマークオブジェクトおよびファイルキャッシュ情報が記憶されていないと、後のレジューム再生時に再生再開ポイントが再生対象のタイトルの先頭になってしまい、レジューム機能を発揮できなくなる。
【００５５】
こうしてレジューム処理が完了したら（Ｓ５０６）、図１または図２の再生装置（アドバンスドコンテントを再生するプレーヤという意味ではAdvanced Content PlayerあるいはAdvanced Player）は通常の再生終了処理を実施し（Ｓ５０７）、再生スタンバイ状態に入る。
【００５６】
その後、ディスク交換も装置の電源オフもない状態（Ｓ５０８ノー）でユーザ操作によって再生（Play）ボタンが押下されると（Ｓ５０９イエス）、レジューム動作に移行する。すなわち、まずアドバンスドプレーヤの初期化を行う（Ｓ５１０）。次にレジュームモードで再生開始する。その場合、Mainモジュールのメモリ１０５ａで保持しているFile Cache情報を本来のファイルキャッシュ情報としてファイルキャッシュ（図２のFile Cache１００Ｂ）にコピーする（Ｓ５１１）。これにより、レジューム再生に必要なファイルキャッシュ情報（図８に例示されるようなPlaylist Application Resource等）がファイルキャッシュに戻る。その後、アドバンスドコンテント内のPlaylist Applicationの実行が開始され（Ｓ５１３）、Mainモジュールのメモリ１０５ａが保持しているブックマークオブジェクトを使ってBookmark.jumpを実施する。これにより、Ｓ５０２でストップボタンが押されたときの状態が復元され、レジューム再生が開始される（Ｓ５１４）。
【００５７】
なお、上記レジューム再生が行われること無く（Ｓ５０９ノー）ディスク交換発生または電源オフが実施された場合には（Ｓ５０８イエス）、Mainモジュールのメモリ１０５ａが保持しているブックマークオブジェクトおよびファイルキャッシュ情報（リソース情報）は破棄される（Ｓ５１５）。このようにメモリ１０５ａに保持したリソース情報およびブックマークオブジェクト破棄されたあとでは、Playボタンが押されてもレジューム再生は行われず、再生のスタートポイントは再生中断時点でなくタイトルの頭に戻ってしまう。これを避けたい場合は、メモリ１０５ａに不揮発性メモリを用い、交換されたディスクを特定するディスク番号情報を不揮発性メモリに覚えておく等の対応をとればよい（不揮発性メモリ内のリソース情報をファイルキャッシュにコピーバックでき、かつ現在ディスクドライブに装填されているディスクがレジューム処理時のディスクであることを特定できれば、電源オフ後あるいはディスク交換後でも、レジューム再生処理は可能となる。）。
【００５８】
以上を纏めると、以下のようになる。すなわち、所定の再生データを持つプライマリビデオオブジェクト（P-EVOB）およびこのプライマリビデオオブジェクトの再生時間をアドレス情報に変換するタイムマップ（TMAP）を含むプライマリビデオセット（Primary Video Set）と、このプライマリビデオセットとは別の再生データを持つセカンダリビデオオブジェクト（S-EVOB）およびこのセカンダリビデオオブジェクトの再生時間をアドレス情報に変換するタイムマップ（TMAP）を含むセカンダリビデオセット（Secondary Video Set）と、マークアップ言語（XML）によって記述されるファイルであって再生オブジェクト間の再生順序およびタイミング関係を記述するオブジェクトマッピング情報（Object Mapping Information）を含むプレイリスト（Playlist）と、このプレイリストと連携するアドバンスドアプリケーション（Playlist Associated Advanced Application）としてプレイリストアプリケーション（Playlist Application）を含むアドバンスドコンテント（Advanced Content）を取り扱う。
【００５９】
ここで、前記プレイリスト内に記述される前記オブジェクトマッピング情報（図５）のリソースとして前記プレイリストアプリケーション（Playlist Application）のリソース情報（図８のPlaylist Application Resource）がファイルキャッシュ（図２のFile Cache）に一時的に格納される場合において、前記プレイリストアプリケーション（Playlist Application）が存在するとき（Ｓ５００イエス）に前記アドバンスドコンテント（Advanced Content）を再生する方法（図１１）では、前記アドバンスドコンテントの再生が開始（Ｓ５０１）されたあと、その再生中断されたら（Ｓ５０２イエス）、レジューム処理を開始して（Ｓ５０３）、ビデオ、オーディオ、およびサブタイトルのうちの少なくとも１つのトラック番号およびタイトルタイムをブックマークオブジェクトとして生成して記憶する（Ｓ５０４）とともに、前記プレイリストアプリケーション（Playlist Application）の記述内容（図８の“file:///dvddisc/ADV_OBJ/PApp.aca’/”）に対応する、前記ファイルキャッシュに格納された前記リソース情報（画像情報のオブジェクトを含むことがあり最大６４ＭＢとサイズが大きい）を記憶し（Ｓ５０５）、再生開始が指示されたら（Ｓ５０９イエス）、記憶された前記リソース情報を前記ファイルキャッシュにコピーしてから（Ｓ５１１）、記憶された前記ブックマークオブジェクトを用いて、前記再生中断個所にジャンプして再生再開する（Ｓ５１４）。
【００６０】
前記再生開始が指示される前（Ｓ５０９ノー）に、前記アドバンスドコンテントが記録されたディスク（１）が交換され、あるいは前記アドバンスドコンテントを再生する機器の電源がオフされたならば（Ｓ５０８イエス）、記憶されている前記リソース情報および前記ブックマークオブジェクトを破棄する（Ｓ５１５）ように構成できる。
【００６１】
前記プレイリストアプリケーションが存在するアドバンスドコンテントを再生する装置（図２）は、前記プレイリスト内に記述される前記オブジェクトマッピング情報のリソースとして前記プレイリストアプリケーションのリソース情報を一時的に格納するファイルキャッシュ（図２の１００Ｂ：File Cache）と、ビデオ、オーディオ、およびサブタイトルのうちの少なくとも１つのトラック番号およびタイトルタイムをブックマークオブジェクトとして生成して記憶するブックマークメモリ（図２の１０５ａの記憶エリアの一部）と、前記ファイルキャッシュに格納された、前記プレイリストアプリケーション（Playlist Application）の記述内容（図８の“file:///dvddisc/ADV_OBJ/PApp.aca’/”）に対応する前記リソース情報を記憶するリソースメモリ（図２の１０５ａの記憶エリアの他部）と、前記リソースメモリに記憶された前記リソース情報を前記ファイルキャッシュにコピーし前記ブックマークメモリに記憶された前記ブックマークオブジェクトを用いて再生再開する再生エンジン（図２の１００Ｃ）を具備して構成できる。
【００６２】
あるいは、HD_DVDビデオ規格で規定されるアドバンスドコンテントの再生機能とレジューム再生機能を有するデジタルビデオ再生装置は、再生停止実行直前にブックマークオブジェクトを生成するブックマーク生成部（図１１のＳ５０４を実行する図１または図２のＭＰＵ１１４）と、前記アドバンスドコンテントに含まれるプレイリストアプリケーションのリソース情報（図８）を一時格納するファイルキャッシュ（図２の１００Ｂ）と、前記ファイルキャッシュ内の前記プレイリストアプリケーションのリソース情報を記憶するリソース情報記憶部（図２の１０５ａの一部）と、前記ブックマーク生成部により生成されたブックマークオブジェクトを記憶するブックマーク記憶部（図２の１０５ａの他部）とを具備して構成できる。ここでは、前記リソース情報記憶部に記憶されたリソース情報と前記ブックマーク記憶部に記憶されたブックマークオブジェクトを用いて前記アドバンスドコンテントのレジューム再生を行う（図１１のＳ５１０〜Ｓ５１４）ように構成される。
【００６３】
この発明の一実施の形態によれば、HD_DVD規格に則ったアドバンスドコンテントでレジューム再生が可能な情報再生装置を提供することができる。
【００６４】
この発明は上記した実施の形態そのままに限定されるものではなく、現在または将来の実施段階では、その時点で利用可能な技術に基づき、その要旨を逸脱しない範囲で構成要素を種々変形して具体化することができる。
【００６５】
さらに、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良い。
【図面の簡単な説明】
【００６６】
【図１】この発明の一実施の形態に係るデジタルビデオ再生装置の構成例を説明するブロック図。
【図２】アドバンスドコンテントの再生システムモデルの一例を説明する図。
【図３】この発明の一実施の形態に係るディスク状情報記憶媒体（HD_DVDビデオ用光ディスク）に記録される内容の一例を説明する図。
【図４】アドバンスドコンテントの構成例を説明する図。
【図５】プレイリストの概要の一例を説明する図。
【図６】タイトルタイムライン上のオブジェクトマッピングの一例を説明する図。
【図７】アドバンスドコンテントにおける、プレイリストとプライマリビデオセットとセカンダリビデオセットとアドバンスドアプリケーションとアドバンスドサブタイトルとの関係の一例を説明する図。
【図８】プレイリストアプリケーションエレメントとプレイリストアプリケーションリソースエレメントの記述例を説明する図。
【図９】ＸＭＬ表記によるタイトルエレメントの記述例を説明する図。
【図１０】ＸＭＬ表記によるプライマリオーディオビデオクリップエレメントの記述例を説明する図。
【図１１】この発明の一実施の形態に係るレジューム処理の一例を説明するフローチャート図。
【符号の説明】
【００６７】
１…ディスク状情報記憶媒体（HD_DVDビデオ用光ディスク）、２…ネットワークサーバ、３…ストレージメディア、１００…再生装置（HD_DVD再生装置）、１０１…ディスクドライブ部、１０２…ネットワークアクセス部、１０３…メディアドライブ部、１０４…データプロセッサ部、１０５…メモリ部、１０５ａ…レジューム再生情報（ブックマークオブジェクト、プレイリストアプリケーションリソース情報等）のメモリ、１０６…分離部（デマルチプレクサ）、１０７…ビデオデコーダ部、１０８…サブピクチャデコーダ部、１０９…グラフィックデコーダ部、１１０…オーディオデコーダ部、１１１…ビデオプロセッサ部、１１２…ビデオＤ／Ａ変換器、１１３…オーディオＤ／Ａ変換器、１１４…ＭＰＵ部、１１５…キー入力部、１１６…ＲＯＭ部、１１７…クロック発生器。
【図１】
2008165872.tif 000003
【図２】
2008165872.tif 000004
【図３】
2008165872.tif 000005
【図４】
2008165872.tif 000006
【図５】
2008165872.tif 000007
【図６】
2008165872.tif 000008
【図７】
2008165872.tif 000009
【図８】
2008165872.tif 000010
【図９】
2008165872.tif 000011
【図１０】
2008165872.tif 000012
【図１１】
2008165872.tif 000013